(57)【要約】【課題】  小型の可動体でレンズ鏡筒を無理なくスムーズに移動させることができると共に、組立性に優れた光学部材駆動装置及びこの組立方法及びこれを用いたカメラを提供すること。【解決手段】  本発明の可動体８は、駆動マグネット９とこの駆動マグネット９の一端部側に配設した第１ヨーク１０と他端部側に配設した第２ヨーク１１とからなり、駆動マグネット９及び第２ヨーク１１が空洞部７ａ内に位置すると共に、第１ヨーク１０が空洞部７ａの外側に位置しており、第１ヨーク１０には、カバー２の外側に延びるアーム部１０ｃが形成され、このアーム部１０ｃの一部がカバー２の外部に配設した支持軸１３に片持ち支持されて、駆動マグネット９側が自由端状になっている。【選択図】        図１
2005099684.tif 000002
【特許請求の範囲】
【請求項１】
内部に空洞部を有する円筒状の固定コイルと、前記空洞部内に位置して前記固定コイルに通電することにより前記空洞部内を往復移動可能な可動体と、前記コイル及び前記可動体の外周を覆うカバーとを備え、前記可動体は、駆動マグネットとこの駆動マグネットの一端部側に配設した第１ヨークと他端部側に配設した第２ヨークとからなり、前記可動体は、前記駆動マグネット及び前記第２ヨークが前記空洞部内に位置すると共に、前記第１ヨークが前記空洞部の外側で前記カバーの内側に位置しており、前記第１ヨークには、前記カバーの外側に延びるアーム部が形成され、このアーム部の一部が前記カバー外部に配設した支持軸に片持ち支持されて、前記駆動マグネット側が自由端状になっていることを特徴とする光学部材駆動装置。
【請求項２】
前記第１ヨークには、前記カバーの外側に延出させて前記アーム部が形成されると共に、前記アーム部と反対側を所定量突出させて前記カバーの内周面に近接する突出部が形成され、前記カバーは、磁性材料からなり、前記可動体は、前記駆動マグネットの磁束が前記突出部を介して前記カバーに作用し、前記駆動マグネットを前記カバーの前記内周面に吸引可能な吸引力が発生するようにしたことを特徴とする請求項１記載の光学部材駆動装置。
【請求項３】
前記カバーは、一端部が第１側板に支持されると共に、他端部が第２側板に支持され、前記第１、第２側板には、前記カバーを支持する部分から前記アーム部と同方向に延出させて軸止部がそれぞれ形成され、前記軸止部に軸止した前記支持軸に前記アーム部を軸支して、前記可動体が前記往復移動可能になっていることを特徴とする請求項１または２記載の光学部材駆動装置。
【請求項４】
前記カバーには、前記第１、第２側板の係合突起が圧入嵌合可能な側板圧入部が形成されていることを特徴とする請求項３記載の光学部材駆動装置。
【請求項５】
前記アーム部には、外部の光学部材を係支可能な係支部を有するリンク部材が一体形成されていることを特徴とする請求項１乃至４のいずれかに記載の光学部材駆動装置。
【請求項６】
前記リンク部材は、前記支持軸の長手方向に幅広に形成され、この幅広部分が前記支持軸に軸支されていることを特徴とする請求項５記載の光学部材駆動装置。
【請求項７】
前記リンク部材の前記幅広部分には、前記支持軸を露出させて前記係支部が形成され、前記係支部から露出する前記支持軸に前記光学部材に形成した連結部を連結可能としたことを特徴とする請求項６記載の光学部材材駆動装置。
【請求項８】
前記リンク部材近傍には、前記可動体の前記往復移動を検出可能な磁気センサが配設されていることを特徴とする請求項４乃至７のいずれかの記載の光学部材駆動装置。
【請求項９】
前記磁気センサは、前記第１側板に取り付けたプリント基板に固着され、前記磁気センサと対向する部分の前記リンク部材にセンサマグネットを固着したことを特徴とする請求項８記載の光学部材駆動装置。
【請求項１０】
前記プリント基板は、櫛歯状の支持部を形成し、この支持部を前記第１側板に形成した櫛歯状の基板支持部に支持したことを特徴とする請求項９記載の光学部材駆動装置。
【請求項１１】
前記プリント基板の前記支持部に、前記固定コイルを構成する線材の引き出し端部が巻回されて接続されていることを特徴とする請求項１０記載の光学部材駆動装置。
【請求項１２】
前記第１ヨークには、前記カバー内部に位置して前記駆動マグネットを固着したマグネット固着部が形成されると共に、このマグネット固着部から前記カバー外側に延出する前記アーム部が形成され、前記マグネット固着部の外周面と前記カバーの内周面とには、所定寸法の隙間が形成され、
前記カバーは、円筒状の外周壁に、前記アーム部が移動可能な第１、第２スリット溝が形成され、前記第１ヨークは、前記第２スリット溝より幅広の前記第１スリット溝に前記アーム部が位置して前記往復移動可能となっており、前記マグネット固着部を介して前記カバーの前記外周壁に働く前記駆動マグネットの磁束が、前記第１スリット溝を形成された側より前記第１スリット溝と反対側の前記外周壁側が大きくなるようにしたことを特徴とする請求項１記載の光学部材駆動装置。
【請求項１３】
請求項１乃至１２記載の光学部材駆動装置において、前記第１側板を組立治具に載置して、前記コイル固着部に前記固定コイルの一端部を固着し、前記第１側板の基板支持部に前記プリント基板を位置決めして固着し、前記軸止孔に前記支持軸を挿通し、前記支持軸に前記第１ヨークのアーム部を固着したリンク部材の貫通孔を挿通すると共に、前記第１ヨークに固着した駆動マグネットを前記固定コイルの空洞部に挿入し、次ぎに、前記固定コイルの上方から前記固定コイルの外周部を覆うように円筒状の前記カバーの一端部側を挿入して前記第１側板に前記カバーを仮止めし、その後、前記カバーの他端部側に前記第２側板を仮止めし、次ぎに、前記カバーと前記第１、第２側板とを固着すると共に、前記支持軸を前記第１、第２側板に固着するようにしたことを特徴とする光学部材駆動装置の組立方法。
【請求項１４】
前記カバーは、一端部側に形成した側板圧入部を前記第１側板の係合突起に軽圧入して仮止めすると共に、他端部側に形成した側板圧入部に前記第２側板の係合突起を軽圧入して仮止めし、その後、前記第１、第２側板を加熱加圧、または接着にて前記カバーに前記第１、第２側板を固着するようにしたことを特徴とする請求項１４記載の光学部材駆動装置の組立方法。
【請求項１５】
前記リンク部材は、ヨーク取付面に前記第１ヨークのアーム部を位置させ、前記ヨーク取付面に形成した溶着部を加熱加圧、または接着にて前記リンク部材と前記第１ヨークとを固着して一体化するようにしたことを特徴とする請求項１３、または１４記載の光学部材駆動装置の組立方法。
【請求項１６】
前記固定コイルの巻線端部は、櫛歯状に形成した前記プリント基板の支持部に巻回して半田付けにより接続した状態で、前記第１側板に組み付けるようにしたことを特徴とする請求項１３乃至１５のいずれかに記載の光学部材駆動装置の組立方法。
【請求項１７】
所定の口径のレンズが組み込まれたレンズ鏡筒を備え、前記レンズ鏡筒は、請求項１乃至１７のいずれかに記載の光学部材駆動装置により前記レンズの光軸に沿って往復移動操作可能としたことを特徴とするカメラ。
【請求項１８】
前記光学部材駆動装置には、前記レンズの光軸と平行方向に往復駆動可能な前記リンク部材が配設され、このリンク部材に形成した係支部から露出する前記支持軸に、前記レンズ鏡筒の連結部が連結可能になっていることを特徴とする請求項１７記載のカメラ。
【請求項１９】
前記レンズ鏡筒は、ズームレンズを組み込んだ第１レンズ鏡筒と、フォーカスレンズを組み込んだ第２レンズ鏡筒とを有し、前記光学部材駆動装置は、前記第１レンズ鏡筒を往復移動操作してズーム調節可能な第１光学部材駆動装置と、前記第２レンズ鏡筒を往復移動操作してフォーカス調節可能な第２光学部材駆動装置とを有することを特徴とする請求項１７または１８記載のカメラ。
【発明の詳細な説明】
【技術分野】
【０００１】
本発明は、光学部材駆動装置及びこれを用いたカメラに係わり、デジタルスチールカメラ等におけるズームレンズのズーム調節、あるいはフォーカスレンズのフォーカス調節等を行うための光学部材駆動装置及びこの組立方法及びこれを用いたカメラに関する。
【背景技術】
【０００２】
従来の光学部材駆動装置及びこれを用いたカメラを、図１２に基づいて説明すると、例えばデジタルスチルカメラ等からなるカメラ５０には、ズーミング用またはフォーカス用の可動レンズ５１が、円筒状のレンズ鏡筒５２に組み込まれている。
前記レンズ鏡筒５２には、図示奥側に光学部材駆動装置５３が連結され、この光学部材駆動装置５３により、レンズ鏡筒５２が可動レンズ５１の光軸Ａに沿って往復移動可能になっている。
前記光学部材駆動装置５３は、レンズ鏡筒５２に直結して形成された第１連結部５４を有し、この第１連結部５４には、光軸Ａと平行方向に延びる横長状のコイル保持部５４ａが形成されている。
【０００３】
また、コイル保持部５４ａには、第１支持軸５５に軸支された可動体５６が一体形成されている。前記可動体５６は、コイル保持部５４ａの両端部に、互いに対向して一対の第１軸受け保持部５７、５７が所定の間隔を有して形成され、この第１軸受け保持部５７には、軸受けメタル５７ａがそれぞれ嵌着され、この軸受けメタル５７ａが第１支持軸５５に軸支されている。
また、可動体５６は、図示を省略するが、一対の第１軸受け保持部５７、５７間に可動コイルが巻回され、この可動コイル及び第１軸受け保持部５７、５７を覆うように磁性体からなるカバーが配設され、このカバーの両端部に配設されてカバーに接触するように配設された永久磁石からなる固定マグネット等により構成されている。前記可動体５６は、カバー内を往復移動可能になっている。
【０００４】
そして、可動コイルに通電することによりコイルに発生する磁束が、固定マグネットを介してカバーに発生する磁束に作用して、第１支持軸５５に軸支された可動体５６が光軸Ａと平行方向にカバー内を往復移動する。
このことにより、可動体５６に第１連結部５４を介して直結されたレンズ鏡筒５２が光軸Ａ方向に往復移動して、可動レンズ５１で所望のズーミング、あるいはフォーカス等が行えるようになってなっている。
【０００５】
また、レンズ鏡筒５２には、光学部材駆動装置５３と反対側の手前側の位置に、移動するレンズ鏡筒５２の移動速度を検出可能な速度センサ５８が配設されている。
前記速度センサ５８は、第１連結部５４と反対側のレンズ鏡筒５２の位置に形成した第２連結部５９に直結して形成されている。
前記第２連結部５９には、光軸Ａと平行方向に延びるコイル保持部５９ａがＬ字状に形成され、このコイル保持部５９ａの左右両端部に、一対の第２軸受け保持部６０が所定の間隔を有して互いに対向して形成されている。
前記一対の第２軸受け保持部６０には、軸受メタル６１がそれぞれ保持されており、この軸受メタル６１が第２支持軸６２に軸支されている。
【０００６】
また、一対の第２軸受け保持部６０間で第２支持軸６２の周囲には、可動コイル６３が巻回されており、第２支持軸６２の両端部には、マグネット６４、６５がそれぞれ取り付けられている。
また、マグネット６４、６５に接続されると共に、内部の可動コイル６３を覆うように磁性体からなるカバー６６が配設されて、速度センサ５８が構成されている。
このような速度センサ５８は、光学部材駆動装置５３の駆動で、光軸Ａ方向に移動するレンズ鏡筒５２と一体的に可動コイル６３が移動して、可動コイル６３がマグネット６４、６５間の磁束を横切る。
これにより、可動コイル６３に、その移動方向及び移動速度に応じた量の誘導電流が流れ、この時の可動コイル６３の両端に発生する電圧を測定することにより、レンズ鏡筒５２の移動速度及び移動方向が検出可能になっている。
【特許文献１】特開平  ５−３２２５０２号公報
【発明の開示】
【発明が解決しようとする課題】
【０００７】
しかし、前述したような従来の光学部材駆動装置５３は、可動体５６を第１支持軸５５に移動自在に軸支しているので、可動体５６の大きさが第１支持軸５５を含んだ大きさになり光学部材駆動装置５３が大型になる問題があった。
また、従来の光学部材駆動装置５３及びこれを用いたカメラ５０は、レンズ鏡筒５２が第１、第２支持軸５５、６２に両持ち支持されているために、第１、第２支持軸５５、６２の平行度が光軸Ａに対してバラツキが発生すると、レンズ鏡筒５２の駆動負荷が大きくなって、レンズ鏡筒５２をスムーズに往復移動させることができなくなるおそれがあった。
また、従来の光学部材駆動装置５３の組立方法は、第１、第２支持軸５５、６２を確実に平行にして組み立てないと、レンズ鏡筒５２をスムーズに往復移動させることができなかいので、組立性が悪かった。
本発明は前述のような課題を解決して、小型の可動体でレンズ鏡筒を無理なくスムーズに移動させることができると共に、組立性に優れた光学部材駆動装置及びこの組立方法及びこれを用いたカメラを提供することを目的とする。
【課題を解決するための手段】
【０００８】
上記課題を解決するための第１の解決手段として本発明の光学部材駆動装置は、内部に空洞部を有する円筒状の固定コイルと、前記空洞部内に位置して前記固定コイルに通電することにより前記空洞部内を往復移動可能な可動体と、前記コイル及び前記可動体の外周を覆うカバーとを備え、前記可動体は、駆動マグネットとこの駆動マグネットの一端部側に配設した第１ヨークと他端部側に配設した第２ヨークとからなり、前記可動体は、前記駆動マグネット及び前記第２ヨークが前記空洞部内に位置すると共に、前記第１ヨークが前記空洞部の外側で前記カバーの内側に位置しており、前記第１ヨークには、前記カバーの外側に延びるアーム部が形成され、このアーム部の一部が前記カバー外部に配設した支持軸に片持ち支持されて、前記駆動マグネット側が自由端状になっていることを特徴とする。
【０００９】
また、上記課題を解決するための第２の解決手段として、前記第１ヨークには、前記カバーの外側に延出させて前記アーム部が形成されると共に、前記アーム部と反対側を所定量突出させて前記カバーの内周面に近接する突出部が形成され、前記カバーは、磁性材料からなり、前記可動体は、前記駆動マグネットの磁束が前記突出部を介して前記カバーに作用し、前記駆動マグネットを前記カバーの前記内周面に吸引可能な吸引力が発生するようにしたことを特徴とする。
【００１０】
また、上記課題を解決するための第３の解決手段として、前記カバーは、一端部が第１側板に支持されると共に、他端部が第２側板に支持され、前記第１、第２側板には、前記カバーを支持する部分から前記アーム部と同方向に延出させて軸止部がそれぞれ形成され、前記軸止部に軸止した前記支持軸に前記アーム部を軸支して、前記可動体が前記往復移動可能になっていることを特徴とする。
【００１１】
また、上記課題を解決するための第４の解決手段として、前記カバーには、前記第１、第２側板の係合突起が圧入嵌合可能な側板圧入部が形成されていることを特徴とする。
【００１２】
また、上記課題を解決するための第５の解決手段として、前記アーム部には、外部の光学部材を係支可能な係支部を有するリンク部材が一体形成されていることを特徴とする。
【００１３】
また、上記課題を解決するための第６の解決手段として、前記リンク部材は、前記支持軸の長手方向に幅広に形成され、この幅広部分が前記支持軸に軸支されていることを特徴とする請求項５記載の光学部材駆動装置。
【００１４】
前また、上記課題を解決するための第７の解決手段として、記リンク部材の前記幅広部分には、前記支持軸を露出させて前記係支部が形成され、前記係支部から露出する前記支持軸に前記光学部材に形成した連結部を連結可能としたことを特徴とする。
【００１５】
また、上記課題を解決するための第８の解決手段として、前記リンク部材近傍には、前記可動体の前記往復移動を検出可能な磁気センサが配設されていることを特徴とする。
【００１６】
また、上記課題を解決するための第９の解決手段として、前記磁気センサは、前記第１側板に取り付けたプリント基板に固着され、前記磁気センサと対向する部分の前記リンク部材にセンサマグネットを固着したことを特徴とする。
【００１７】
また、上記課題を解決するための第１０の解決手段として、前記プリント基板は、櫛歯状の支持部を形成し、この支持部を前記第１側板に形成した櫛歯状の基板支持部に支持したことを特徴とする。
【００１８】
また、上記課題を解決するための第１１の解決手段として、前記プリント基板の前記支持部に、前記固定コイルを構成する線材の引き出し端部が巻回されて接続されていることを特徴とする。
【００１９】
また、上記課題を解決するための第１２の解決手段として、前記第１ヨークには、前記カバー内部に位置して前記駆動マグネットを固着したマグネット固着部が形成されると共に、このマグネット固着部から前記カバー外側に延出する前記アーム部が形成され、前記マグネット固着部の外周面と前記カバーの内周面とには、所定寸法の隙間が形成され、
前記カバーは、円筒状の外周壁に、前記アーム部が移動可能な第１、第２スリット溝が形成され、前記第１ヨークは、前記第２スリット溝より幅広の前記第１スリット溝に前記アーム部が位置して前記往復移動可能となっており、前記マグネット固着部を介して前記カバーの前記外周壁に働く前記駆動マグネットの磁束が、前記第１スリット溝を形成された側より前記第１スリット溝と反対側の前記外周壁側が大きくなるようにしたことを特徴とする。
【００２０】
また、上記課題を解決するための第１３の解決手段として本発明の光学部材駆動装置の組立方法は、請求項１乃至１３記載の光学部材駆動装置において、前記第１側板を組立治具に載置して、前記コイル固着部に前記固定コイルの一端部を固着し、前記第１側板の基板支持部に前記プリント基板を位置決めして固着し、前記軸止孔に前記支持軸を挿通し、前記支持軸に前記第１ヨークのアーム部を固着したリンク部材の貫通孔を挿通すると共に、前記第１ヨークに固着した駆動マグネットを前記固定コイルの空洞部に挿入し、次ぎに、前記固定コイルの上方から前記固定コイルの外周部を覆うように円筒状の前記カバーの一端部側を挿入して前記第１側板に前記カバーを仮止めし、その後、前記カバーの他端部側に前記第２側板を仮止めし、次ぎに、前記カバーと前記第１、第２側板とを固着すると共に、前記支持軸を前記第１、第２側板に固着するようにしたことを特徴とする。
【００２１】
また、上記課題を解決するための第１４の解決手段として、前記カバーは、一端部側に形成した側板圧入部を前記第１側板の係合突起に軽圧入して仮止めすると共に、他端部側に形成した側板圧入部に前記第２側板の係合突起を軽圧入して仮止めし、その後、前記第１、第２側板を加熱加圧、または接着にて前記カバーに前記第１、第２側板を固着するようにしたことを特徴とする。
【００２２】
また、上記課題を解決するための第１５の解決手段として、前記リンク部材は、ヨーク取付面に前記第１ヨークのアーム部を位置させ、前記ヨーク取付面に形成した溶着部を加熱加圧、または接着にて前記リンク部材と前記第１ヨークとを固着して一体化するようにしたことを特徴とする。
【００２３】
また、上記課題を解決するための第１６の解決手段として、前記固定コイルの巻線端部は、櫛歯状に形成した前記プリント基板の支持部に巻回して半田付けにより接続した状態で、前記第１側板に組み付けるようにしたことを特徴とする。
【００２４】
また、上記課題を解決するための第１７の解決手段として本発明の光学部材駆動装置を用いたカメラは、所定の口径のレンズが組み込まれたレンズ鏡筒を備え、前記レンズ鏡筒は、請求項１乃至１７のいずれかに記載の光学部材駆動装置により前記レンズの光軸に沿って往復移動操作可能としたことを特徴とする。
【００２５】
また、上記課題を解決するための第１８の解決手段として、前記光学部材駆動装置には、前記レンズの光軸と平行方向に往復駆動可能な前記リンク部材が配設され、このリンク部材に形成した係支部から露出する前記支持軸に、前記レンズ鏡筒の連結部が連結可能になっていることを特徴とする。
【００２６】
また、上記課題を解決するための第１９の解決手段として、前記レンズ鏡筒は、ズームレンズを組み込んだ第１レンズ鏡筒と、フォーカスレンズを組み込んだ第２レンズ鏡筒とを有し、前記光学部材駆動装置は、前記第１レンズ鏡筒を往復移動操作してズーム調節可能な第１光学部材駆動装置と、前記第２レンズ鏡筒を往復移動操作してフォーカス調節可能な第２光学部材駆動装置とを有することを特徴とする。
【発明の効果】
【００２７】
本発明の光学部材駆動装置は、アーム部の一部がカバー外部に配設した支持軸に片持ち支持されて、駆動マグネット側が自由端状になっているので、駆動マグネットは、体積が小さくても磁力を大きくすることができる。そのために、小型で駆動力の大きな光学部材駆動装置を提供できる。
【００２８】
また、カバーは、磁性材料からなり、可動体は、駆動マグネットの磁束が突出部を介してカバーに作用し、駆動マグネットをカバーの内周面に吸引可能な吸引力が発生するようにしたので、この吸引力で、駆動マグネットを固定コイルの空洞部内に位置させて自由端状に支持することができる。
そのために、駆動マグネットを支持する支持部材が不要になり、駆動マグネットを小さくでき、小型の光学部材駆動装置を提供できる。
【００２９】
また、カバーは、一端部が第１側板に支持されると共に、他端部が第２側板に支持され、第１、第２側板には、カバーを支持する部分からアーム部と同方向に延出させて軸止部がそれぞれ形成され、軸止部に軸止した支持軸にアーム部を軸支して、可動体が往復移動可能になっているので、支持軸に沿って可動体を確実に往復移動させることができる。
【００３０】
また、カバーには、前記第１、第２側板の係合突起が圧入嵌合可能な側板圧入部が形成されているので、カバーの側板圧入部に第１、第２側板の係合突起を軽圧入して仮止めすることができ、組立性が良い。
【００３１】
また、アーム部には、外部の光学部材を係支可能な係支部を有するリンク部材が一体形成されているこので、１本の支持軸にリンク部材が支持されて、可動体が往復移動可能になっており、レンジ鏡筒等の光学部材を無理なく往復移動させることができる。
【００３２】
また、リンク部材は、支持軸の長手方向に幅広に形成され、この幅広部分が支持軸に軸支されているので、リンク部材を支持軸に対して無理なくスムーズに往復移動させることができる。
【００３３】
また、リンク部材は、支持軸を露出させて係支部が形成され、この係支部から露出する支持軸に光学部材に形成した連結部を連結可能としたので、接着剤等を使わなくても係支部に光学部材のレンズ鏡筒を係支することができ、組立性が良い。
【００３４】
また、リンク部材近傍には、可動体の往復移動を検出可能な磁気センサが配設されているので、可動体の移動量を確実に検出して、光学部材のレンズ鏡筒の移動量を高精度に制御することができる。
【００３５】
また、磁気センサは、第１側板に取り付けたプリント基板に固着され、磁気センサと対向する部分のリンク部材にセンサーマグネットを固着したので、リンク部材を操作軸に挿通し、第１側板にプリント基板を組み付けるだけで、センサーマグネットと磁気センサとを確実に対向配置することができ、組立性が良い。
【００３６】
また、プリント基板は、櫛歯状の支持部を形成し、この支持部を第１側板に形成した櫛歯状の基板支持部に支持したので、プリント基板を第１側板の基板支持部に直立させた状態で仮止めすることができ、組立性が良い。
【００３７】
また、プリント基板の支持部に、固定コイルを構成する巻き線３２ｂの引き出し端部が巻回されて接続されているので、自動機で巻き線をプリント基板に絡ませて巻回することができ、組立性が良い。
【００３８】
また、第１ヨークは、第２スリット溝より幅広の第１スリット溝にアーム部が位置して往復移動可能となっており、マグネット固着部を介してカバーの外周壁に働く駆動マグネットの磁束が、第１スリット溝を形成された側より第１スリット溝と反対側の外周壁側が大きくなるようにしたので、駆動マグネットを片持ち支持して固定コイルの空洞部内に中立状（宙ぶらり状）に支持することができる。
そのために、可動体の往復移動を小さな駆動力で確実に行うことができる。
【００３９】
また、本発明の光学部材駆動装置の組立方法は、固定コイルの上方から固定コイルの外周部を覆うように円筒状のカバーの一端部側を挿入して第１側板にカバーを仮止めし、その後、カバーの他端部側に第２側板を仮止めし、次ぎに、カバーと第１、第２側板とを固着すると共に、支持軸を第１、第２側板に固着するようにしたので、第１側板をベースとして、それぞれの部品を上方から順番に載置することにより本発明の光学部材駆動装置を組み立てることができ、自動化が容易な組立方法を提供できる。
【００４０】
また、第１、第２側板を加熱加圧、または接着にてカバーに第１、第２側板を固着するようにしたので、簡単な作業で確実にカバーと第１、第２側板とを固着することができる。
【００４１】
また、リンク部材は、ヨーク取付面に第１ヨークのアーム部を位置させ、ヨーク取付面に形成した溶着部を加熱加圧、または接着にてリンク部材と第１ヨークとを固着して一体化するようにしたので、リンク部材と第１ヨークとの組立が容易である。
【００４２】
また、本発明のカメラは、所定の口径のレンズが組み込まれたレンズ鏡筒を備え、レンズ鏡筒は、請求項１乃至１７のいずれかに記載の光学部材駆動装置によりレンズの光軸に沿って往復移動操作可能としたので、小さな駆動マグネットの駆動で、レンズ鏡筒を無理なくスムーズに往復移動させることができる。
【００４３】
また、光学部材駆動装置には、レンズの光軸と平行方向に往復駆動可能なリンク部材が配設され、このリンク部材に形成した係支部から露出する支持軸に、レンズ鏡筒の連結部が連結可能になっているので、係支部から露出する支持軸にレンズ鏡筒の連結部を係合させて支持するだけで、レンズ鏡筒を往復移動させることができ、組立性が良い。
【００４４】
また、光学部材駆動装置は、第１レンズ鏡筒を往復移動操作してズーム調節可能な第１光学部材駆動装置と、第２レンズ鏡筒を往復移動操作してフォーカス調節可能な第２光学部材駆動装置とを有するので、ズーム調節とフォーカス調節とが可能な操作性の良いカメラを提供できる。
【発明を実施するための最良の形態】
【００４５】
以下、本発明に関する光学部材駆動装置及びこの組立方法及びこれを用いたカメラの実施の形態を図１〜図１２に基づいて説明する。図１は本発明の第１の実施の形態に関する光学部材駆動装置の分解斜視図であり、図２は本発明の第１の実施の形態に関する光学部材駆動装置の斜視図であり、図３は図２の要部断面図であり、図４は本発明の第１の実施の形態の光学部材駆動装置を用いたカメラの一部を示す斜視図であり、図５は本発明の第２の実施の形態に関する光学部材駆動装置の分解斜視図であり、図６は本発明の第２の実施の形態に関する光学部材駆動装置の斜視図であり、図７は、本発明の第２の実施の形態に係わるリンク部材と第１ヨークの分解斜視図であり、図８は本発明の第２の実施の形態に係わる第１側板の半製品であり、図９は本発明の第２の実施の形態の光学部材駆動装置にカメラ側のレンズ鏡筒を連結した斜視図であり、図１０は図９のレンズ鏡筒に斜視図であり、図１１は本発明の第２の実施の形態の光学部材駆動装置を用いたカメラの平面図である。
【００４６】
まず、本発明の第１の実施の形態の光学部材駆動装置１を、図１、図２に基づいて説明すると、外形が略円筒状で横長のカバー２が配設されている。
前記カバー２は、鉄板等の磁性材料からなり、内部に中空部２ａが形成されていると共に、外周壁の図示手前側が所定の幅寸法で開放されて開口部２ｂが形成されている。前記開口部２ｂによって、中空部２ａの手前側が開放されている。
また、カバー２は、長手方向の左右両端部が、所定の幅と深さ寸法の切り欠き部２ｃがそれぞれ形成されている。
【００４７】
前記カバー２は、長手方向の両端部が支持部材３の第１、第２側板４、５に支持されている。前記第１側板４は、支持部材３の図示左側に配設され、第１側板４と対向する図示右側に第２側板５が配設されている。
前記第１、第２側板４、５は、外周部にそれぞれ凸部４ａ、５ａと凹部４ｂ、５ｂとが形成されたカバー支持部４ｃ、５ｃと、このカバー支持部４ｃ、５ｃから図示手前側に延びる軸止部４ｄ、５ｄが形成されている。
【００４８】
そして、この軸止部４ｄ、５ｄに後述する支持軸１３を嵌合させて軸止可能な軸止孔４ｅ、５ｅがそれぞれ形成されている。
また、支持部材３には、第２側板５の図示下部側をＬ字状に折り曲げて基部６が一体形成され、この基部６には、略矩形状のセンサ孔６ａが貫通形成されている。そして、基部６の図示左側端部に第１側板４が接着剤あるいはスポット溶接等で一体化されて、支持部材３が略コ字状に形成されている。
【００４９】
また、第２側板５側のカバー支持部５ｃには、外形が円筒状で内部に空洞部７ａを有するコイル７が接着剤等で固着されている。
そして、コイル７は、第２側板５に接着した側と反対側の一方側が開放されている。また、第２側板５のカバー支持部５ｃには、カバー２が支持され、このカバー２の中空部２ａにコイル７が収納されている。
前記カバー２は、長さがコイル７の略２倍に形成されており、コイル７を固着した第２側板５のカバー支持部５ｃに支持すると、開口部２ｂの図示右側半分がコイル７で遮蔽されるようになっている。
この時のカバー２の開口部２ｂの図示左側半分は、内部の中空部２ａが視認できるように開放されている。
【００５０】
また、カバー２の中空部２ａ内には、可動体８が配設されており、この可動体８の一部がコイル７の空洞部７ａ内に位置して、可動体８が中空部２ａ内及び空洞部７ａ内を図示左右方向（矢印Ｂ、Ｃ方向）に往復移動可能になっている。
前記可動体８は、永久磁石からなる円柱状の駆動マグネット９と、この駆動マグネット９の左右両端部に接着剤等で固着された磁性材料からなる第１ヨーク１０と第２ヨーク１１とから構成されている。
【００５１】
前記第１ヨーク１０は、図３に示すように、駆動マグネット９と外径が同じマグネット固着部１０ａが形成され、このマグネット固着部１０ａから図示左方向のカバー２の内周面に近接させて所定量突出する突出部１０ｂが形成されている。
また、第１ヨーク１０は、マグネット固着部１０ａから突出部１０ｂと反対方向に延びるアーム部１０ｃが形成され、このアーム部１０ｃは、カバー２の開口部２ｂよりも図示右側の外側に延出形成されている。  
そして、アーム部１０ｃの図示右側の先端部には、略半円弧状の埋設部１０ｄが形成され、この埋設部１０ｄが、成形加工で形成されたリンク部材１２に埋設（インサート成型）されて、第１ヨーク１０とリンク部材１２とが一体化されている。
【００５２】
また、リンク部材１２には、後述する支持軸１３を軸支可能な支持孔１２ａが形成され、この支持孔１２ａの周囲に、略半円弧状の埋設部１０ｄが位置するようになっている。
そして、リンク部材１２は、後述する支持軸１３の長手方向に幅広に形成され、この幅広部分に支持孔１２ａが形成されて、支持孔１２ａが支持軸１３に軸支されて、可動体８が矢印Ｂ、Ｃ方向に往復移動可能になっている。
そのために、支持軸１３と支持孔１２ａとのガタを無くして、リンク部材１２をスムーズに無理なく往復移動させることができる。
【００５３】
また、幅広のリンク部材１２には、図１に示すように、右側上部のコーナ部が円弧状に切り欠きされて係支部１２ｂと係合部１２ｃとが形成されている。
そして、係支部１２ｂには、後述する外部の光学部材である第１レンズ鏡筒２３、または第２レンズ鏡筒２４を嵌合係支可能になっている。
また、係合部１２ｃには、後述する第１レンズ鏡筒２３、または第２レンズ鏡筒２４をスライド自在に支持可能になっている。
前記リンク部材１２は、支持孔１２ａが棒状の支持軸１３に挿通されて、可動体８が矢印Ｂ、Ｃ方向に往復移動可能に軸支されている。
即ち、可動体８は、アーム部１０ｃの一部がカバー２の外部に配設した支持軸１３に片持ち支持されて、コイル７の空洞部７ａ内に位置する駆動マグネット９側が自由端状になっている。
【００５４】
このような支持軸１３に片持ち支持された可動体８は、駆動マグネット９の磁束が第１ヨーク１０の突出部１０ｂを介して磁性体からなるカバー２に作用して、図３に示すように、突出部１０ｂを矢印Ｄ方向に吸引しようとする吸引力が働く。
前記矢印Ｄ方向の吸引力によって、駆動マグネット９側は、コイル７の空洞部７ａの略中央部に位置して自由端状（宙ぶらり状）となって、コイル７の内周面には接触しないようになっている。
そのために、可動体８の駆動マグネット９は、小型でも、コイル７の空洞部７ａ内をスム−ズに往復移動させることができる。
【００５５】
前記支持軸１３は、左右両端部が、支持部材３の第１、第２側板４、５の軸止孔４ｅ、５ｅに圧入または接着剤等で軸止されている。
また、支持部材３の基部６に形成したセンサ孔６ａには、ＦＰＣ１４に接着剤等で固着されたホール素子等からなる磁気センサ１５が位置するようになっている。
前記磁気センサ１５は、第１ヨーク１０のアーム部１０ｃから発生する磁束の変化を検出して、可動部材８の移動方向及び移動量を検出可能になっている。
【００５６】
このような光学部材駆動装置１は、図２に示すようにように組立されており、コイル７の空洞部７ａ内に、可動体８の駆動マグネット９と第２ヨーク１１とを位置させた状態で、コイル７に、所定の電流を通電すると、フレーミングの法則に基づいて、コイル７に発生する磁束が駆動マグネット９の磁束に作用して、可動体８が、矢印Ｂ方向に移動可能になっている。
この時の可動体８は、第１ヨーク１０の突出部１０ｂが、カバー２の内周面に所定の吸引力で吸引されているので、駆動マグネット９側が自由端状（宙ぶらり状）となってコイル７の空洞部７ａ内の略中央部に位置し、矢印Ｂ、Ｃ方向に往復移動可能になっている。
【００５７】
前述したような本発明の光学部材駆動装置１を用いたカメラ２１を、例えばデジタルデジタルスチルカメラ等で、図４に基づいて説明すると、カメラ２１側の筐体２２上には、例えばズームレンズ（図示せず）を組み込んだ第１レンズ鏡筒２３と、この第１レンズ鏡筒２３に隣り合わせて第２レンズ鏡筒２４が配設され、この第２レンズ鏡筒２４には、フォーカスレンズ２５が組み込まれている。
前記第１、第２レンズ鏡筒２３、２４は、フォーカスレンズ２５の光軸Ｆに沿って往復移動可能になっている。
また、第１レンズ鏡筒２３が対向する部分の筐体２２側には、図示を省略した撮像素子（ＣＣＤ）が配設されている。
【００５８】
前記第１レンズ鏡筒２３には、外周部から第１腕部２３ａが延長形成され、この第１腕部２３ａの先端部側に、Ｕ字状の第１ガイド溝２３ｂが所定幅寸法と深さ寸法で形成されている。
また、筐体２２には、第１軸２６が直立して取り付けられ、この第１軸２６に第１ガイド溝２３ｂを嵌合させて、第１レンズ鏡筒２３が、光軸Ｆに沿って往復移動可能になっている。  
また、第２レンズ鏡筒２４には、第１レンズ鏡筒２３の第１腕部２３ａと略９０°ずれた位置から、第２腕部２４ａが延長形成され、この第２腕部２４ａの先端部側に、Ｕ字状の第２ガイド溝２４ｂが所定の幅寸法と深さ寸法で形成されている。
前記筐体２２には、第２軸２７が直立して取り付けられ、この第２軸２７に第２ガイド溝２４ｂを嵌合させて、第２レンズ鏡筒２４が、光軸Ｆに沿って往復移動可能になっている。
【００５９】
また、第１、第２レンズ筐体２３、２４の図示下部の筐体２２には、本発明の光学部材駆動装置１からなる第１、第２光学部材駆動装置１Ａ、１Ｂが、それぞれのリンク部材１２、１２が、所定の隙間を有して対向するように取り付けされている。
そして、第１光学部材駆動装置１Ａのリンク部材１２には、第１レンズ鏡筒２３が係合部１２ｃに位置し、第２レンズ鏡筒２４が係支部１２ｂに嵌合係支した状態になっている。
【００６０】
また、第２光学部材駆動装置１Ｂのリンク部材１２には、第１レンズ鏡筒２３が係支部１２ｂに嵌合係支され、第２レンズ鏡筒２４が係合部１２ｃに位置した状態になっている。
そして、第１、第２レンズ鏡筒２３、２４は、第１、第２光学部材駆動装置１Ａ、１Ｂのそれぞれの可動体８を往復駆動することにより、それぞれが独立して光軸Ｆに沿って往復移動操作可能になっている。
【００６１】
このような、本発明の第１、第２光学部材駆動装置１Ａ、１Ｂ及びこれを用いたカメラ２１の動作を説明すると、まず、操作者がカメラ２１側のズームボタン（図示せず）を操作して所望の倍率にセットする。
すると、カメラ２１側の制御部（図示せず）からの出力信号によって、第１レンズ鏡筒２３が矢印Ｂ方向、または矢印Ｃ方向に移動して、撮像素子（ＣＣＤ）上の結像が所望の倍率にズーミングすることができる。
また、カメラ２１側のディスプレイ（図示せず）に表示される被写体のピントが適正でない場合は、第２光学部材駆動装置１Ｂ側のコイル７に所定の電力を通電して、可動体８を駆動し、第２レンズ鏡筒２４を矢印Ｂ、または矢印Ｃ方向に往復移動させて、ディスプレイに表示される被写体のピントを適正に調整することができる。
【００６２】
また、第１、第２光学部材駆動装置１Ａ、１Ｂのそれぞれの可動体８は、リンク部材１２が支持軸１３に片持ち支持されて駆動マグメット９側が自由端状になっているので、駆動マグネット９の体積が小さくても、大きな磁力を得ることができる。そのために、本発明の光学部材駆動装置１の小型化が可能である。
【００６３】
また、本発明の第２の実施の形態の光学部材駆動装置３０を、図５〜図８に基づいて説明すると、第１の実施の形態外形の光学部材駆動装置１に用いたものと同じ部材については同じ番号を付して詳細な説明は省略する。
まず、図５、図６に示すように、図示最下部には、樹脂材料からなる第１側板３１が配設され、この第１側板３１には、略矩形状の基部３１ａを有し、この基部３１ａの図示奥側に円形状で高さが高いコイル固着部３１ｂと、このコイル固着部３１ｂより高さが低くて外径がコイル固着部３１ｂより大きな円形状のカバー固着部３１ｃとが同心円上に突出形成されている。
【００６４】
また、それぞれの固着部３１ｂ、３１ｃを挟んだ図示左右には、後述するカバー４１の側板圧入部４１ｄに軽圧入可能な一対の係合突起３１ｄ、３１ｄが突出形成されている。また、第１側板３１は、それぞれの固着部３１ｂ、３１ｃから図示手前側に延出する部分の基部３１ａにリング状の軸支部３１ｅが形成され、この軸支部３１ｅに軸止孔３１ｆが貫通形成され、この軸止孔３１ｆに、支持軸１３が直立状に支持されて、接着剤等で第１側板３１に固着されている。
また、基部３１ａの図示左側には、板状で櫛歯状の基板支持部３１ｇが、基部３１ａから直立して３箇所に互い違いに形成されている。
また、それぞれの固着部３１ｂ、３１ｃの図示左奥には、後述するカバー４１及びプリント基板３３をガイド可能な突起部３１ｈが突出形成されている。
【００６５】
また、コイル固着部３１ｂに固着可能な固定コイル３２は、外形が円筒状で内部に空洞部３２ａを有し、一端部側である下端部がコイル固着部３１ｂに軽圧入されて接着剤等で固着さるようになっている。
また、基板支持部３１ｇには、磁気センサ１５を取り付けた、所定厚さのプリント基板３３が固着可能になっており、このプリント基板３３は、図示下端部に櫛歯状の支持部３３ａが３箇所に形成されている。
前記支持部３３ａには、固定コイル３２の巻き線３２ｂの引き出し端部が自動機等で巻回されて、ディッピングマシーン等による自動半田でプリント基板３３の配線パターンに（図示せず）に電気的に接続されている。
【００６６】
そして、第１側板３１のコイル固着部３１ｂに固定コイル３２を接着剤等で固着し、互い違いの基板支持部３１ｇにプリント基板３３の支持部３３ａを挟み込むと共に、プリント基板３３の奥側端部を突起部３１ｈで位置決めした状態で、プリント基板３３を第１側板３１に接着剤等で固着している。
また、プリント基板３３には、ＦＰＣ３４が電気的に接続されて、図８に示すような、第１側板３１の半製品が組立されている。
【００６７】
また、固定コイル３２の空洞部３２ａには、可動体３５の一部である円柱状の駆動マグネット３６が、図示上下方向に往復移動可能に配設されている。前記駆動マグネット３６は、永久磁石からなり、駆動マグネット３６の上端部からは第１突起３６ａが所定高さで突出形成され、下端部からは第２突起３６ｂが所定高さで突出形成されている。
そして、第１突起３６ａには、第１ヨーク３７が固着され、第２突起３６ｂには、リング状の第２ヨーク３８が固着されている。前記第１、第２ヨーク３７、３８は、鉄板等の磁性材料で形成されている。前記第１ヨーク３７は、後述するカバー４１部に位置して駆動マグネット３６を固着するマグネット固着部３７ａが駆動マグネット３６と外径が同じ形成されている。
そして、マグネット固着部３７ａの支持孔３７ｂに、駆動マグネット３６の第１突起３６ａが軽圧入後接着剤等で固着されている。
【００６８】
また、第１ヨーク３７は、図７に示すように、マグネット固着部３７ａから図示手前側に延出するアーム部３７ｃが形成され、このアーム部３７ｃの一部には、支持軸１３に嵌合支持可能な、図示手前側が開放された支持孔３７ｄが形成されている。
即ち、アーム部３７ｃは、第１側板３１の基部３１ａを図示手前側に延出する方向と同方向に延出形成され、マグネット固着部３７ａの支持孔３７ｂに固着した駆動マグネット３６が、固定コイル３２の空洞部３２ａ内に位置すると共に、第１側板３１の軸止孔３１ｆに挿通させて固着させた支持軸１３に支持孔３７ｄが挿通支持されて、支持軸１３に沿って往復移動可能になっている。
【００６９】
また、第１ヨーク３７のアーム部３７ｃには、外形が略立方体状で樹脂材料からなるリンク部材３９が固着されている。前記リンク部材３９は、図７に示すように、上面に第１ヨーク３７を取り付け可能なヨーク取付面３９ａが形成され、このヨーク取付面３９ａの互いに対向するコーナ部に溶着部３９ｂ、３９ｂが上方に突出形成されている。前記ヨーク取付面３９ａの略中央部には、図示上下方向に貫通して支持軸１３が挿通可能な貫通孔３９ｃが形成されている。
【００７０】
また、リンク部材３９の上下方向の略中央部には、所定の隙間寸法と深さ寸法の係支部３９ｄが形成され、この係支部３９ｄに貫通孔３９ｃが露出している。
そのために、貫通孔３９ｃに挿通した支持軸１３は、係支部３９ｄから露出するようになっている。
また、リンク部材３９の図示左側の溶着部３９ｂの図示奥側には、平坦状のマグネット固着面３９ｅが形成されている。
このような構成の第１ヨーク３７とリンク部材３９とは、アーム部３７ｃをヨーク取付面３９ａに載置した状態で、熱カシメ等で溶着部３９ｂを加熱変形させて、一体化されている。
【００７１】
また、リンク部材３９のマグネット固着面３９ｅには、板状で永久磁石からなるセンサーマグネット４０が接着剤等で固着され、このセンサーマグネット４０が磁気センサ１５と所定の隙間を有して対向配置されるようになっている。
また、第１側板３１のカバー固着部３１ｃに固着するカバー４１は、略円筒状に形成され、円筒状の外周壁４１ａに、図示上下方向に第１、第２スリット溝４１ｂ、４１ｃが形成されている。
そして、第１ヨーク３７は、アーム部３７ｃの幅狭になった根元部分が第１スリット溝４１ｂに位置して上下方向に往復移動可能になっている。また、第１スリット溝４１ｂは、第２スリット溝４１ｃより幅広に形成されている。
【００７２】
そして、マグネット固着部３７ａを介してカバー４１の外周壁４１ａに働く駆動マグネット３６の磁束が、第１スリット溝４１ｂが形成された側よりも第１スリット溝４１ｂと反対側の外周壁４１ａ側が大きくなるようになっている。
そのために、第１ヨーク３７は、アーム部３７ｃが支持軸１３に片持ち支持されて、駆動マグネット３６を固着したマグネット固着部３７ａ側がカバー４１の内部で自由端状（宙ぶらり状）になるようになっている。
前記第１ヨーク３７のマグネット固着部３７ａがカバー４１内部で自由端状になることで、マグネット固着部３７ａに固着した駆動マグネット３６は、固定コイル３２の空洞部３２ａ内の中心部に位置して自由端状になるようになっている。
【００７３】
前記カバー４１の図示上下端部には、それぞれ入り口側が狭くなった側板圧入部４１ｄが形成され、下部の側板圧入部４１ｄが第１側板３１の係合突起３１ｄに軽圧入可能になっている。
また、カバー４１の上部には、第２側板４２が側板圧入部４１ｄに軽圧入後、熱溶着あるいは接着等により固着されて配設されている。
前記第２側板４２は、略矩形状で板状の基部４２ａを有し、この基部４２ａの図示奥側で、第１ヨーク３７の支持孔３７ｂと対向する位置に孔４２ｂが形成されると共に、基部４２ａの図示手前側には、支持軸１３を挿通して軸止可能な軸止孔４２ｃが形成されている。
また、基部４２ａの下面側には、カバー４１の側板圧入部４１ｄに軽圧入可能な一対の係合突起４２ｄが、孔４２ｂを挟んで互いに対向する位置に突出形成されている。
【００７４】
このような構成の第２の実施の形態の光学部材駆動装置の組立方法は、まず、第１側板３１を組立治具に載置する。その後、第１側板３１のコイル固着部３１ｂに、巻き線３２ｂでプリント基板３３を接続した状態の固定コイル３２の一端部（図示下部側）を軽圧入し、接着剤等で第１側板３１と固定コイル３２とを固着する。また、第１側板３１の互い違いの基板支持部３１ｇに、プリント基板３３の櫛歯状の支持部３３ａを位置決めして仮止めし、接着剤等でプリント基板３３を第１側板３１に固着する。
このことにより、図８に示すように、第１側板３１に固定コイル３２とプリント基板３３とが一体化されて、第１側板半製品が組み立てられている。
【００７５】
次ぎに、第１側板半製品として組み立てられた第１側板３１の軸止孔３１ｆに支持軸１３を挿通して立設し、この支持軸１３に第１ヨーク３７のアーム部３７ｃを固着したリンク部材３９の貫通孔３９ｃを挿通すると共に、第１ヨーク３７に固着した駆動マグネット３６を、第１側板３１に固着した固定コイル３２の空洞部３２ａに挿入する。
次ぎに、第１ヨーク３７及び固定コイル３２の上方から、固定コイル３２の外周部を覆うように円筒状のカバー４１の一端部側（図示下部側）を挿入する。
すると、第１ヨーク３７のアーム部３７ｃの根元部分がカバー４１の第２スリット溝４１ｃを通過し、カバー４１が第１側板３１のカバー固着部３１ｃに軽圧入して仮止めされる。
【００７６】
その後、カバー４１の他端部側（図示上部側）の側板圧入部４１ｄに第２側板４２の係合突起４２ｄを軽圧入して仮止めする。
次ぎに、カバー４１と第１、第２側板４１、４２とを加熱加圧治具（図示せず）で互いの当接部分を部分的に加熱加圧することにより、加熱加圧部分が部分的軟化溶融して、カバー４１と第１、第２側板４１、４２とが固着される。
前記カバー４１と第１、第２側板４１、４２との固着方法は、加熱加圧に限らず、接着剤で接着しても良い。
また、第１、第２側板３１、４２の軸止孔３１ｆ、４２ｃに挿通した支持軸１３を接着剤等で第１、第２側板３１、４２に固着する。
【００７７】
また、リンク部材３９に第１ヨーク３７を固着する方法は、駆動マグネット３６を接着剤等で固着した第１ヨーク３７のアーム部３７ｃを、リンク部材３９の一対の溶着部３９ｂで位置決めして、ヨーク取付面３９ａに載置する。
その後、溶着部３９ｂを加熱加圧治具で加熱加圧することにより、溶着部３９ｂが軟化して、第１ヨーク３７のアーム部３７ｃがリンク部材３９に固着されて第１ヨーク３７とリンク部材３９とが一体化される。
尚、リンク部材３９に第１ヨーク３７を固着する方法は、加熱加圧に限らず接着剤で接着しても良い。
そして、図６に示すように、リンク部材３９の係支部３９ｄからは、支持軸１３が露出しており、この支持軸１３に後述するカメラ４３側のレンズ鏡筒４４に形成した連結部４４ｃが連結可能になっている。
【００７８】
このように組み立てられた第２の実施の形態の光学部材駆動装置３０は、固定コイル３２に、所定の電流を通電すると、第１の実施の形態と同様に、フレーミングの法則に基づいて、固定コイル３２に発生する磁束が駆動マグネット３６の磁束に作用して、可動体３５が、例えば図示上方の一方側に移動可能になっている。この時の可動体３５は、第１スリット溝４１ｂが形成された側よりも第１スリット溝４１ｂと反対側の外周壁４１ａ側の磁束が大きくなっているので、第１ヨーク３７のマグネット固着部３７ａは、カバー４１の空洞内部の中央部に位置すると共に、駆動マグネット３６が、固定コイル３２の空洞部３２ａ内の中心部に位置して自由端状になる。
そのために、可動体３５を小さな駆動力で往復移動させることができる。
【００７９】
また、前述したような本発明の第２の実施の形態の光学部材駆動装置３０を用いたカメラ４３を、図９〜図１１に基づいて説明すると、カメラ４３側の筐体４３ａには、例えばズームレンズ（図示せず）を組み込んだレンズ鏡筒４４が配設されている。そして、レンズ鏡筒４４が対向する部分の筐体４３ａには、図示を省略した撮像素子（ＣＣＤ）が配設されている。
前記レンズ鏡筒４４の略中央部には、所定の口径からなる開口部４４ａが形成され、この開口部４４ａに例えばズームレンズが組み込まれている。
【００８０】
また、開口部４４ａの図示手前側には、支持孔４４ｂが形成され、この支持孔４４ｂを筐体４３ａのガイド軸４３ｂに挿通可能になっている。
また、開口部４４ａの図示奥側には、Ｕ字溝からなる連結部４４ｃが形成され、この連結部４４ｃが、図９に示すように、リンク部材３９の係支部３９ｄから露出する支持軸１３に連結支持可能になっている。
また、カメラ４３は、図１１に示すように、筐体４３ａの一方のコーナ部分に本発明の第２の実施の形態の光学部材駆動装置３０が取り付けられている。
【００８１】
そして、リンク部材３９の係支部３９ｄから露出する支持軸１３に連結部４４ｃを係合させて連結支持して、固定コイル３２に通電して、リンク部材３９が上下方向への往復移動すると、このリンク部材３９の往復移動に連動して、レンズ鏡筒４４が光軸（図示せず）に沿って往復移動して、所望のズーム動作が行われるようになっている。
このようなカメラ４３は、レンズ鏡筒４４の連結部４４ｃをリンク部材３９の係支部３９ｄから露出する支持軸１３に係合させるだけで連結支持することができ、組立性が良い。
【図面の簡単な説明】
【００８２】
【図１】第１の実施の形態に関する光学部材駆動装置の分解斜視図である。
【図２】第１の実施の形態に関する光学部材駆動装置の斜視図である。
【図３】図２の要部断面図である。
【図４】第１の実施の形態の光学部材駆動装置を用いたカメラの一部を示す斜視図である。
【図５】第２の実施の形態に関する光学部材駆動装置の分解斜視図である。
【図６】本発明の第２の実施の形態に関する光学部材駆動装置の斜視図である。
【図７】第２の実施の形態に係わるリンク部材と第１ヨークの分解斜視図である。
【図８】第２の実施の形態に係わる第１側板の半製品である。
【図９】本発明の第２の実施の形態の光学部材駆動装置にカメラ側のレンズ鏡筒を連結した斜視図である。
【図１０】図９のレンズ鏡筒に斜視図である。
【図１１】第２の実施の形態の光学部材駆動装置を用いたカメラの平面図である。
【図１２】従来の光学部材駆動装置を用いたカメラの要部斜視図である。
【符号の説明】
【００８３】
１：本発明の第１の実施の形態の光学部材駆動装置
２：カバー
２ａ：中空部
２ｂ：開口部
３：支持部材
４：第１側板
５：第２側板
６：基部
７：固定コイル
７ａ：空洞部
８：可動体
９：駆動マグネット
１０：第１ヨーク
１０ｂ：突出部
１０ｃ：アーム部
１０ｄ：埋設部
１１：第２ヨーク
１２：リンク部材
１３：支持軸
１５：磁気センサ
２１：カメラ
２２：筐体
２３：第１レンズ鏡筒
２４：第２レンズ鏡筒
３０：本発明の第２の実施の形態の光学部材駆動装置
【図１】
2005099684.tif 000003
【図２】
2005099684.tif 000004
【図３】
2005099684.tif 000005
【図４】
2005099684.tif 000006
【図５】
2005099684.tif 000007
【図６】
2005099684.tif 000008
【図７】
2005099684.tif 000009
【図８】
2005099684.tif 000010
【図９】
2005099684.tif 000011
【図１０】
2005099684.tif 000012
【図１１】
2005099684.tif 000013
【図１２】
2005099684.tif 000014